(57)【要約】【課題】リビングルーム等の居室に隣接して設置されるキッチン設備の構成部材を音響発生手段とすることにより、スピーカーの設置スペースが不要な音響設備を構築する。【解決手段】居室と台所との境界に配置したキッチン設備の流し台１における居室に面する板状部材１１の裏面側に、音振動発生器１０を取着する。音振動発生器１０で板状部材１１を振動させ、スピーカーの設置スペースが不要で音楽・音声等を居室へ提供できる。板状部材を上下及び左右に４分割し、各分割部分１１Ａ〜１１Ｄに音振動発生器１０Ａ〜１０Ｄを取着する。上下で音振動発生器の周波数特性を異ならせ、さらに左右で異なるチャンネルの音声を再生してステレオ効果を発揮させることにより、分解能・。再現性・臨場感に優れた再生音を得られる。下側の分割部分１１Ｂ，１１Ｄにダクト又はポート１５を形成することによりバスレフ構造と成し、低音成分の音圧増大が可能である。【選択図】      図２
2006122389.tif 000002
【特許請求の範囲】
【請求項１】
リビングルームやダイニングルーム等の居室に隣接して設置されるキッチン設備であって、キッチン設備を構成するキャビネット等の構成部材における居室に臨む板状部材に音振動発生器を設け、当該板状部材を振動させて居室へ向かう音を発生させることを特徴とする音響機能付きキッチン設備。
【請求項２】
居室と台所との境界位置に設置されるキッチン設備であって、キッチン設備を構成するキャビネット等の構成部材に、居室側を臨む板状部材と台所側を臨む板状部材とで囲まれた中空部を設け、当該中空部に音振動発生器を設け、前記板状部材を振動させて居室と台所の双方へ向けて音を発生させるように構成したことを特徴とする音響機能付きキッチン設備。
【請求項３】
前記板状部材に取り付けた音振動発生器が収納されている空間部に、上方から下方へ至る音道を形成し、当該音道の始端部に前記音振動発生器を配置し、当該音道の終端部において前記板状部材に音声発生用の開孔を形成した請求項１又は２に記載する音響機能付きキッチン設備。
【請求項４】
前記板状部材は、厚みの薄い振動域と、その周囲の厚みが大きいバッフル域とを備え、前記振動域を前記音振動発生器で振動させて音を発生させるように構成した請求項１乃至３のいずれかに記載する音響機能付きキッチン設備。
【請求項５】
前記板状部材が、音振動発生器と一体的に着脱可能に構成されている請求項１乃至４のいずれかに記載する音響機能付きキッチン設備。
【請求項６】
前記音振動発生器を取り付けた板状部材が複数設けられている請求項１乃至５のいずれかに記載する音響機能付きキッチン設備。
【請求項７】
前記キッチン設備が引き出しを有し、当該引き出しの前板部に前記音振動発生器を設け、当該前板部から音を発生させるように構成した請求項１に記載する音響機能付きキッチン設備。
【発明の詳細な説明】
【技術分野】
【０００１】
本発明は、リビングルームやダイニングルーム等の居室に隣接して設置されるキッチン設備に関し、詳しくは、キッチン設備の構成部材を音声の発生手段とすることにより、スピーカーの設置スペースが不要で音響設備を構築することを目的とする。
【背景技術】
【０００２】
リビングルームやダイニングルーム等の居室と台所との間で親密なコミュニケーションを図れるようにするため、特許文献１に記載されるような対面式キッチン設備が従来提案されている。
【特許文献１】特開２００２−１７４７７公報
【発明の開示】
【発明が解決しようとする課題】
【０００３】
リビングルーム等の居室には、音楽等を観賞するための音響装置が設置されることが多いが、そのため、スピーカーの設置スペースを居室内に確保する必要があった。また、居室に設置したスピーカーでは、台所にいる人が音響を享受することが困難であった。
【課題を解決するための手段】
【０００４】
本発明の第１の目的は、スピーカーの設置スペースが不要で居室に音声を発生させることを可能にする手段を提供することである。かかる目的達成のため本発明が採用した音響機能付きキッチン設備の特徴とするところは、請求項１に記載の如く、リビングルームやダイニングルーム等の居室に隣接して設置されるキッチン設備であって、キッチン設備を構成するキャビネット等の構成部材における居室に臨む板状部材に音振動発生器を設け、当該板状部材を振動させて居室へ向かう音を発生させることである。
【０００５】
前記において本発明が対象とするキッチン設備の構成部材とは、ベースキャビネットのみならずアッパーキャビネットも含めたキッチンキャビネットをはじめ、レンジ台・流し台・調理台・食器洗浄機台などが挙げられる。
【０００６】
音振動発生器には、いわゆるスピーカーユニットのほか、アクチュエータ・エキサイターと呼ばれる振動素子も使用される。アクチュエータには、超磁歪素子や圧電素子を用いるものがある。超磁歪アクチュエータの一例として、電磁コイルで生じる磁界変化で超磁歪ロッドを伸縮させる構造のものがある。これは、ケーシング内に、電磁コイルと、超磁歪素子で製作したロッドと、超磁歪ロッドに圧縮方向の付勢力を付与するスプリングと、超磁歪ロッドにバイアス磁界を付与する磁石とが収納され、電磁コイルに入力した音声信号に基づく磁界変化により超磁歪ロッドを伸縮させ、その変位で板状部材を振動させ音波を発生させるものである。
【０００７】
また、エキサイターと呼ばれる振動素子は、ボイスコイルを利用するものであって、ボビン部に巻装したボイスコイルと、ボイスコイルとの間で磁気ギャップを形成する磁気回路とを備え、ボイスコイルに入力した音声信号に基づき、ボイスコイルを振動させることにより、これと連動してボビンをピストン運動させ、その結果、ボビンに当接させた板状部材を振動させて音を再生するものである。なお磁気回路としては、外磁型と、内磁気型とがある。
【０００８】
本発明のもう一つの目的は、スピーカーの設置スペースが不要で、居室と同時に台所へも音声を供給できる手段を提供することである。かかる目的のために本発明が採用した音響機能付きキッチン設備の特徴とするところは、請求項２に記載の如く、居室と台所との境界位置に設置されるキッチン設備であって、キッチン設備を構成するキャビネット等の構成部材に、居室側を臨む板状部材と台所側を臨む板状部材とで囲まれた中空部を設け、当該中空部に音振動発生器を設け、前記板状部材を振動させて居室と台所の双方へ向けて音を発生させるように構成したことである。
【０００９】
前記キッチン設備において、音響特性、特に低音の特性向上を図るため、請求項３に記載の如く、前記板状部材に取り付けた音振動発生器が収納されている空間部に、上方から下方へ至る音道を形成し、当該音道の始端部に前記音振動発生器を配置し、当該音道の終端部において前記板状部材に音声発生用の開孔を形成する構成を採用することが考えられる。かかる構成は、いわゆるバックロードホーン構造の応用と言うことができる。なお本例において、音振動発生器の配置を音道の上方とし開孔を音道の下方とする場合と、これとは反対に、音振動発生器の配置を音道の下方とし開孔を音道の上方とする場合とが考えられる。
【００１０】
本発明に係るキッチン設備において、前記板状部材を、請求項４に記載の如く、厚みの薄い振動域と、その周囲の厚みが大きいバッフル域とを備え、前記振動域を前記音振動発生器で振動させて音を発生させるように構成することが可能である。
【００１１】
ところで本発明は、請求項５に記載の如く、前記板状部材を、音振動発生器と一体的に着脱可能に構成してもよい。
【００１２】
さらに、請求項６に記載の如く、前記音振動発生器を取り付けた板状部材を複数設けることも可能である。
【００１３】
なお発明に係るキッチン設備が引き出しを有する場合は、請求項７に記載の如く、当該引き出しの前板部に前記音振動発生器を設け、当該前板部から音を発生させるように構成することも可能である。
【発明の効果】
【００１４】
請求項１に記載した本発明に係る音響機能付きキッチン設備は、キッチン設備の構成部材における板状部材を音振動発生器で振動させて居室へ向かう音を発生させるから、スピーカーの設置スペースが不要となる。従って、居室が充分な容積を備えていない等の理由でスピーカーの設置領域を確保するのが困難な場合でも、居室に音響を提供することが可能である。また。スピーカーの設置スペースを省略できた分だけ有効利用できる空間が拡大する。さらにスピーカーの設置スペースを無くせることにより美観性の向上を図れる。
【００１５】
請求項２に記載の本発明は、居室と台所との境界位置に設置されるキッチン設備の構成部材における居室側を臨む板状部材と台所側を臨む板状部材とを音振動発生器で振動させることにより、居室と台所の双方へ向けて音を発生させるようにしたので、スピーカーの設置スペースが不要で、台所にいる人に、所望の音響を提供することが可能である。これにより、居室にいる人と台所にいる人とに共通の音響体験を与えられるから、両者間のコミュニケーションをより親密化することができる。
【００１６】
請求項３に記載の本発明によれば、音道の始端部に配置した音振動発生器で発生した音を音道を通過させて終端部の開孔から放射することにより、低音成分の音圧を高めることができる。従って、音振動発生器を取り付けた位置の板状部材からは中高音成分が、音道終端の開孔からは音圧が高められた低音成分が放射されるので、再生音の音響特性を向上させることができる。なお、音の低音成分は指向性をあまり持たないため、音道の終端部に形成する開孔の位置は、再生音の音質にほとんど影響を与えない。従って、開孔の位置を比較的自由に選択することができる。
【００１７】
請求項４に記載した本発明によれば、前記板状部材を、厚みの薄い振動域と厚みが大きいバッフル域とを備えるものとしたので、前記振動域を音振動発生器で振動させたときに、音の発生効率が良い。従って、出力の小さい音振動発生器でも、比較的音量の大きい再生音を得ることが可能である。
【００１８】
請求項５に記載した本発明によれば、前記板状部材を音振動発生器と一体的に着脱可能に構成したので、当該板状部材を取り外して位置変更することが可能である。従って、例えば、キッチン設備の近傍に配置した他の家具や備品が、音振動発生器を取り付けた板状部材の正面に位置して音響に影響を与える場合に、当該板状部材を上記家具・備品と干渉しない位置まで移動させることにより、良質な音響環境を構築できる。またメンテナンスも容易になる。
【００１９】
請求項６に記載した本発明によれば、複数の板状部材に、特性の異なる音振動発生器を取り付けて、再生音の音質を向上させることが可能である。例えば、高音用・中音用・低音用の音振動発生器を適宜配置することにより、臨場感・分解能・再現性に優れた音響手段を提供できる。
【００２０】
請求項７に記載した本発明によれば、引き出しに音振動発生器を設けたので、メンテナンスが容易になる。また複数の引き出しを有するキッチン設備にあっては、各引き出しに音振動発生器を設けることにより、請求項６と同様の効果を発揮させることが可能である。
【発明を実施するための最良の形態】
【００２１】
［第１の実施形態］
図１は、本発明の一実施形態に関するものであって、リビングルームＬとこれに隣接させて設置された台所Ｄとの境界位置に、本発明に係る音響機能付きキッチン設備Ｋ（以下「キッチン設備」と言う）を配置した状況を示すものである。キッチン設備Ｋの構成部材としては、キッチンキャビネット・レンジ台・調理台等が挙げられるが、本例では、流し台１に音振動発生器を設けて音響機能を持たせている。なお上記キッチン設備Ｋは、対面式構造を採用している。
【００２２】
図２は、本発明を適用した前記流し台１を示すものであって、図（Ａ）は側面断面図、図（Ｂ）は背面図である。なお、図（Ｂ）に示す流し台１の背面は、リビングルームＬ側から見た正面に相当する。同流し台１は、台所に面するシンク２・水栓器具３・収納部４を備えた部分１Ａと、リビングルームに面するカウンター５を備える部分１Ｂとから成っており、本例では、カウンター５下部に設けたリビングルームに面する板状部材１１の裏面側に、音振動発生器１０を取着してある。
【００２３】
音振動発生器１０は、スピーカユニットやアクチュエータ・エキサイター（励振器）等の振動素子から成る。図３に、ボイスコイル２４を利用するエキサイター２０を例示する。同図（Ａ）に示す如く、エキサイター２０は、先端側に出力部２１を有するボビン２２、ボビン２２の外周面に巻装したボイスコイル２４、ボイスコイル２４との間で磁気ギャップを形成するように配置されたヨーク２５、ボビン２２とヨーク２５とを弾性的に連結するダンパー２３、ヨーク２５の中央部に配置された磁石２６、この磁石２６が取り付けられボビン２２内に内嵌されたプレート２７、ボビン２２内においてこのプレート２７に配置されたキャンセルマグネット２８、及び、ボイスコイル２４用端子２９を備えている。
【００２４】
上記エキサイター２０は、板状部材１０に固定した支持具に設けられた押圧具３１によって取り付けられる。図３（Ｂ）に示す如く、押圧具３１は、板バネやコイルバネ等からなり、エキサイター２０の出力部２１を、板状部材１０へ適度の押圧力で押圧するように設定されている。本例では、押圧具３１をバネ板材で製作し、同心円上に並列する複数の円弧状切欠き３２を開設して、隣接する切欠き３２，３２の間に設けた連結部３３，３３により弾性力を発揮するよう構成されている。なおエキサイター２０を、上述の如く支持具３０及び押圧具３１で弾性的に装着するのではなく、板状部材１０の表面に接着剤等で接着することも可能である。また、前記出力部２１は板状部材１０に当接させるが、所望により、板状部材１０と出力部２１との間に、木質，セラミック質等の音質調整具４０を配置することも可能である。
このように構成されたエキサイター２０は、ボイスコイル２４に音声信号が入力されると、それに基づいてボビン２２がピストン運動を起こし、ボビン先端の出力部２１が板状部材１０を振動させて音声を発生させる。
【００２５】
本発明に係る流し台１は、前記エキサイター２０等から成る音振動発生器１０を、リビングルームに面する板状部材１１に取着したことにより、スピーカーをリビングルームに設置することなく、音楽・音声等をリビングルームへ発生させることができる。従って、リビングルームにスピーカーを設置するだけの充分な容積が無い場合でも音響設備の提供が可能であり、またスピーカーの設置スペースを省略した分だけ、リビングルームの有効利用できる空間を拡大できる。
【００２６】
ところで本実施形態では、図２（Ａ）（Ｂ）に例示する如く、流し台１におけるリビングルームに面するカウンター５の下方空間内を、水平方向の隔壁１２ａ及び垂直方向の隔壁１２ｂで上下左右に仕切って、左右の上部空間１３Ｌ，１３Ｒ及び左右の下部空間１４Ｌ，１４Ｒを形成すると共に、各空間に対応させて板状部材を上下及び左右に４分割し、各分割部分１１Ａ，１１Ｂ，１１Ｃ，１１Ｄそれぞれに音振動発生器１０Ａ，１０Ｂ，１０Ｃ，１０Ｄを取着する構成を採用した。そして、上側の音振動発生器１０Ａ，１０Ｃと下側の音振動発生器１０Ｂ，１０Ｄとを周波数特性の異なるもの、例えば上側を中高音用、下側を低音用とすれば、分解能・再現性に優れた高音質の再生音を得ることができる。さらに左側の音振動発生器１０Ａ，１０Ｂからは左チャンネルの音声、右側の音振動発生器１０Ｃ，１０Ｄからは右チャンネルの音声を再生させることにより、ステレオ効果を発揮させて、臨場感に優れた再生音を得ることが可能である。なお、低音用の音振動発生器１０Ｂ，１０Ｄが配置される下側の分割部分１１Ｂ，１１Ｄにダクト又はポート１５を形成することによりバスレフ構造と成し、低音成分の音圧を増大させることが可能である。
【００２７】
ところで、図４に示す如く、板状部材１１を、厚みの薄い振動域Ｅと、その周囲の厚みが大きいバッフル域Ｆとを備えるものとし、前記振動域Ｅに音振動発生器１０を配置する構成も考えられる。かかる構成によれば、厚みの薄い振動域Ｅを音振動発生器１０で振動させて音声を発生させるので、音の発生効率が良い。従って、出力の小さい音振動発生器１０でも比較的音量の大きい再生音を得ることが可能である。
【００２８】
［第２の実施形態］
図５は、流し台１におけるリビングルーム等の居室に面する部分に収納部１６を有する場合の実施形態を示すものである。当該収納部１６の上方に閉塞空間１３Ｌ，１３Ｒを形成し、この閉塞空間１３Ｌ，１３Ｒを形成している居室側の板状部材１１Ａ，１１Ｃそれぞれに、音振動発生器１０Ａ，１０Ｃを配置する。また、収納部１６の下方に設けた蹴込み板１７の裏面に音振動発生器１０Ｂ，１０Ｄを取り付け、この蹴込み板１７を振動板として利用している。なお、蹴込み板１７の裏面側は、隔壁１２ｃで左右の空間１８Ｌ，１８Ｒに区画してある。
【００２９】
本例では、音振動発生器１０Ａ〜１０Ｄで板状部材１１Ａ，１１Ｃ及び蹴込み板１７を振動させたときに、収納部１６が共鳴箱として機能し得るから、音量の大きい音声が得られるという利点が得られる。
【００３０】
［第３の実施形態］
図６に示す実施形態は、流し台１における台所側に面するキャビネット４内の背面側に背板６と仕切り板７とで区画された配管用空間８が形成されている場合、この配管用空間８を利用して音振動発生器１０を取り付けたものである。本例では、居室に面して設けられた収納部１６の背板に相当する板状部材１９に、上記配管用空間８側から音振動発生器１０を装着し、収納部１６を介して音声を居室へ発生させる。また、この場合、キャビネット４内の仕切り板７に、開閉可能な点検蓋４１を設けることが望ましい。なお本例においても、収納部１６の下方に設けた蹴込み板１７の裏面に音振動発生器１０を取り付け、この蹴込み板１７からも音声を提供するように構成してある。また蹴込み板１７にダクト又はポート１５を形成して、低音成分の増強を図っている。
【００３１】
［第４の実施形態］
図７に示す実施形態は、流し台１における居室に面するカウンター５を、シンク２の上端面よりも高く形成し、カウンター５の下方に形成した中空部１３を、居室に面する板状部材５０と台所に面する板状部材５１とで挟まれた構造とし、この板状部材５０，５１それぞれに音振動発生器１０を配置したものである。
【００３２】
また本例では、キャビネット４内に形成された背板６と仕切り板７とで区画された配管用空間８が形成されている場合において、上記仕切り板７に板状部材５２を取り付け、この板状部材５２に音振動発生器１０を一体に装着した。そして台所側及び居室側に面する蹴込み板１７，１７それぞれに開口９，１５を形成すると共に、前記配管用空間８と連通するように開孔Ｐ，Ｑを形成した。
【００３３】
かかる構成に基づき、音振動発生器１０で板状部材５０，５１を振動させることにより、居室、台所の双方へ、同時に音声を提供することができる。さらに、配管用空間８に配置した音振動発生器１０が板状部材５２を振動させて、台所側へ音声を発生させると同時に、蹴込み部１８を通じて、台所側及び居室側の双方へ低音成分を増強させた音声を発生させる。従って本例によれば、台所で作業する者が、居室に居る人と同じ音響体験を共有できる、という利点が得られる。
【００３４】
なお本例では、音振動発生器１０を、仕切り板７に対し着脱可能に構成した板状部材１０に一体に設けたから、音振動発生器１０の取り外しが容易であり。メンテナンス性が良い。
【００３５】
［第５の実施形態］
図８は、音振動発生器１０で発生させる音声の低音成分を増強させる手段の一例を示すものである。本例では、流し台１における居室に面する部分１Ｂの正面板部５０に、音振動発生器１０を装着した板状部材１１を取り付けると共に、正面板部５０と背板部１９との間の空間に複数のじゃま板４２を適宜配置して、所定経路長を持った音道４３を形成した。かかる構成は、いわゆるバックロードホーンと呼ばれる構造であり、音振動発生器１０で板状部材１１を振動させることにより、当該板状部材１１の表面側からは中高音領域の音声を発生させると同時に、板状部材１０の裏面側で音道４３内の空気を振動させ、それによって、末端の開口部４４から低音成分を増強させた音声を放射する。その結果、中高音と低音の両方が効率よく再生されるので、音質の良い音響を提供することが可能である。
【００３６】
なおバックロードホーン構の設計にあたり、図８の実施形態では、音振動発生器１０を上方に配置すると共に、下方に開口部４４を設け、じゃま板４３を水平方向に配置することにより、上下方向に連通する音道４３を形成したが、図９に示す如く、音振動発生器１０を左右方向の一端部に配置すると共に、他端側に開口部４４を設け、垂直方向に立設するじゃま板４３を配置することにより、音道４３を左右方向に連通するよう形成することも可能である。
【００３７】
［第６の実施形態］
図１０に示す実施形態は、流し台１における居室に面して引き出し６０が設けられている場合に、この引き出し６０の前板部６１に音振動発生器１０を取り付けたものである。本例では、前板部６１を中空に形成し、その内部空間に音振動発生器１０を配置した。かかる構成は、音振動発生器１０の着脱が簡単なので、メンテナンス性が向上する。また、引き出しの入れ替えやができる場合は、当該流し台１の近くに家具等が置かれても、居室へ音声を確実に提供できる位置へ音振動発生器１０を移動させることが可能である。
【図面の簡単な説明】
【００３８】
【図１】本発明の第１の実施形態に関するものであって、リビングルームと台所との境界にキッチン設備を設置した状況を例示する平面図である。
【図２】本発明の第１の実施形態に関するものであって、図（Ａ）は本発明を適用した流し台の右側断面図、図（Ｂ）は背面図である。
【図３】本発明に利用する音振動発生器の一例を示すものであって、図（Ａ）は右側半分を断面した平面図、図（Ｂ）は背面図である。
【図４】本発明に利用する音振動発生器の取り付け状況を示す側面断面図である。
【図５】本発明の第２の実施形態に関するものであって、図（Ａ）は本発明を適用した流し台の右側断面図、図（Ｂ）は背面図である。
【図６】本発明の第３の実施形態に関するものであって、図（Ａ）は本発明を適用した流し台の右側断面図、図（Ｂ）は背面図である。
【図７】本発明の第４の実施形態に関するものであって、図（Ａ）は本発明を適用した流し台の右側断面図、図（Ｂ）は背面図である。
【図８】本発明の第５の実施形態に関するものであって、図（Ａ）は本発明を適用した流し台の右側断面図（図（Ｂ）におけるＸ−Ｘ線断面に相当する）、図（Ｂ）は背面図である。
【図９】本発明の第５の実施形態の異なる例を示す平面断面図である。
【図１０】本発明の第６の実施形態に関するものであって、図（Ａ）は本発明を適用した流し台の右側断面図、図（Ｂ）は背面図である。
【符号の説明】
【００３９】
Ｋ…キッチン設備  １…流し台（キッチン設備の構成部材）  １Ａ…台所側部分  １Ｂ…居室側部分  １０（１０Ａ〜１０Ｄ）…音振動発生器  １１…板状部材  １１Ａ〜１１Ｄ…分割部分  １２ａ，１２ｂ，１２ｃ…隔壁  １３，１４…空間部  １５…ポート  ２０…エキサイター
【図１】
2006122389.tif 000003
【図２】
2006122389.tif 000004
【図３】
2006122389.tif 000005
【図４】
2006122389.tif 000006
【図５】
2006122389.tif 000007
【図６】
2006122389.tif 000008
【図７】
2006122389.tif 000009
【図８】
2006122389.tif 000010
【図９】
2006122389.tif 000011
【図１０】
2006122389.tif 000012